(57)【特許請求の範囲】
【請求項１】
バケツ１０の底面１１に自重によって定着し、バケツ１０が覆る場合、自重によって下降しながら、バケツ１０の内部に残っている原料を押し出して排出させるための排出部材１１０と；前記排出部材１１０の下部に結合され、前記底面１１に上下方向に移動するように貫通する多数の移動軸１２０と；前記移動軸１２０の下部に取り付けられ、自重によって下降した状態でバケツ１０が覆る場合に下降してバケツ１０の底面１１に突き当たって支持するように形成される支持部材１３０と；を含み、
前記底面１１の下部には一定の高さを持つ係止部１１ａが形成されることを特徴とする、原料排出が容易な荷役装備用バケツ。
【請求項２】
前記係止部１１ａの内部には収容空間１１ｂが形成され、前記収容空間１１ｂの内部には前記移動軸１２０の外径部に嵌合された状態で前記排出部材１１０と接触するようにスプリング１１ｃが備えられることを特徴とする、請求項１に記載の原料排出が容易な荷役装備用バケツ。
【請求項３】
前記底面１１には多数の排出孔１１ｄが形成されることを特徴とする、請求項１に記載の原料排出が容易な荷役装備用バケツ。
【請求項４】
前記排出部材１１０の上面及び前記バケツ１０の側面１２には低摩擦板１１１、１２ａがそれぞれ取り付けられることを特徴とする、請求項１に記載の原料排出が容易な荷役装備用バケツ。
【請求項５】
前記低摩擦板１２ａの上端には一側に傾くように傾斜誘導部１２ｂが形成されることを特徴とする、請求項４に記載の原料排出が容易な荷役装備用バケツ。
【請求項６】
前記支持部材１３０の一側には重量体１３１が取り付けられることを特徴とする、請求項１に記載の原料排出が容易な荷役装備用バケツ。
【発明の詳細な説明】
【技術分野】
【０００１】
本発明は原料排出が容易な荷役装備用バケツに係り、より詳しくはバケツの内部に残っている原料を容易に排出させて荷役効率を極大化することができる原料排出が容易な荷役装備用バケツに関するものである。
【背景技術】
【０００２】
一般に、発電所または製鉄所で使われる荷役装備用バケツは原料を汲み入れて運搬及び荷役する役目をする。
【０００３】
本発明の背景技術は日本国実開平０４−０３４２１６号（１９９２．０３．２３）に開示されている。
【０００４】
しかし、従来には、荷役装備の上部一側に取り付けられた固定カムと回動アームが互いに当接することで、バケツの底面に取り付けられた開閉部材が開放し、バケツの内部に残っている原料を排出させることができるが、これは必ず固定カムがあればこそ開閉部材を作動させることができる構造的な限界を持つようになった。
【０００５】
すなわち、固定カムが破損されるとか変形される場合、固定カムと回動アームが互いに当接することができなくて開閉部材を開放させることができないので、究極にバケツの内部に残っている原料を排出させることができない問題点を持つようになった。
【０００６】
また、従来には、構成が複雑でひんぱんな故障が発生して作動効率が制限される問題点を持つようになった。
【先行技術文献】
【特許文献】
【０００７】
【特許文献１】日本国実開平０４−０３４２１６号公報
【発明の概要】
【発明が解決しようとする課題】
【０００８】
したがって、本発明は前記のような従来の問題点を解決するためになされたもので、本発明は、バケツが上昇する場合には、排出部材が自重によってバケツの底面に定着して原料を汲み入れることができ、反対にバケツが覆る場合は、排出部材が自重によって下降し、バケツの内部に残っている原料を自然に排出させることができる原料排出が容易な荷役装備用バケツを提供することに目的がある。
【０００９】
また、本発明は、重量体とスプリングを備えることで、バケツの位置によって排出部材が上下方向に速かに移動して原料を排出させることができる原料排出が容易な荷役装備用バケツを提供することに他の目的がある。
【００１０】
特に、本発明は、原料がくっつき難くなるように低摩擦板を設置して原料の固着を最小化することができる原料排出が容易な荷役装備用バケツを提供することにさらに他の目的がある。
【課題を解決するための手段】
【００１１】
前記目的を達成するための本発明の原料排出が容易な荷役装備用バケツは、バケツ１０の底面１１に自重によって定着し、バケツ１０が覆る場合、自重によって下降しながら、バケツ１０の内部に残っている原料を押し出して排出させるための排出部材１１０と；前記排出部材１１０の下部に結合され、前記底面１１に上下方向に移動するように貫通する多数の移動軸１２０と；前記移動軸１２０の下部に取り付けられ、自重によって下降した状態でバケツ１０が覆る場合に下降してバケツ１０の底面１１に突き当たって支持するように形成される支持部材１３０と；を含んでなることを特徴とする。
【００１２】
ここで、前記底面１１の下部には一定の高さを持つ係止部１１ａが形成されることを特徴とする。
【００１３】
この際、前記係止部１１ａの内部には収容空間１１ｂが形成され、前記収容空間１１ｂの内部には前記移動軸１２０の外径部に嵌合された状態で前記排出部材１１０と接触するようにスプリング１１ｃが備えられることを特徴とする。
【００１４】
また、前記底面１１には多数の排出孔１１ｄが形成されることを特徴とする。
【００１５】
特に、前記排出部材１１０の上面及び前記バケツ１０の側面１２には低摩擦板１１１、１２ａがそれぞれ取り付けられることを特徴とする。
【００１６】
この際、前記低摩擦板１２ａの上端には一側に傾くように傾斜誘導部１２ｂが形成されることを特徴とする。
【００１７】
一方、前記支持部材１３０の一側には重量体１３１が取り付けられることを特徴とする。
【発明の効果】
【００１８】
本発明は、バケツの位置によって排出部材が自然に上下方向に移動し、バケツの内部に残っている原料をなだらかに排出させることができる効果を持つ。
【００１９】
特に、本発明は、排出部材が自重によって上下方向に移動し、バケツの内部に残っている原料を排出させることができる効果を持つ。
【００２０】
また、本発明は構造が簡単で作動効率を制限しない効果を持つ。
【図面の簡単な説明】
【００２１】
【図１】本発明による原料排出が容易な荷役装備用バケツの実施例を示すための正面図である。
【図２】本発明による原料排出が容易な荷役装備用バケツの他の実施例を示すための正面図である。
【図３】本発明による原料排出が容易な荷役装備用バケツの作動状態を示すための参考図である。
【図４】本発明による原料排出が容易な荷役装備用バケツの設置状態を示すための参考図である。
【発明を実施するための形態】
【００２２】
前述したような本発明の目的を達成するための技術的構成を添付図面に基づいてより詳細に説明すれば次のようである。
【００２３】
図１は本発明による原料排出が容易な荷役装備用バケツの実施例を示すための正面図、図２は本発明による原料排出が容易な荷役装備用バケツの他の実施例を示すための正面図、図３は本発明による原料排出が容易な荷役装備用バケツの作動状態を示すための参考図、図４は本発明による原料排出が容易な荷役装備用バケツの設置状態を示すための参考図を示すものである。
【００２４】
本発明は、バケツ１０の底面１１に自重によって定着され、バケツ１０が覆る場合は自重によって下降しながら、バケツ１０の内部に残っている原料を押し出して排出させるための排出部材１１０と；前記排出部材１１０の下部に結合され、上下方向に移動するように前記底面１１を貫通する多数の移動軸１２０と；前記移動軸１２０の下部に設置され、自重によって下降した状態でバケツ１０が覆る場合、下降してバケツ１０の底面１１に突き当たって支持するように形成される支持部材１３０とからなる。
【００２５】
前記排出部材１１０は、バケツ１０が上昇する場合には自重によってバケツ１０の底面１１に定着した状態を維持して、バケツ１０の内部に原料を汲み入れることができ、反対にバケツ１０が覆る場合は自重によって下降しながら、内部に残っている原料を押し出して排出させることができる役目をする。
【００２６】
特に、前記排出部材１１０はバケツ１０の底面１１を全面で覆うことができる広板状のもので、バケツ１０の内部に盛られた原料を全面で押し出して排出させることができる。
【００２７】
この際、前記排出部材１１０の上面には、原料が易しく固着するとかくっつくことがないように、プラスチック系の高強度低摩擦材の低摩擦板１１１が設置できる。
【００２８】
一方、前記移動軸１２０は前記排出部材１１０が上下方向になだらかに移動するように誘導する役目をする。
【００２９】
また、前記支持部材１３０は、バケツ１０が覆って前記排出部材１１０が下降する場合、バケツ１０の底面１１に突き当たって支持することにより、離脱を防止することができる。
【００３０】
この際、前記支持部材１３０の一側には重量体１３１が取り付けられることにより、バケツ１０が上昇する場合には前記支持部材１３０をバケツ１０の底面１１に易しく定着するように誘導し、反対にバケツ１０が覆る場合は前記支持部材１３０を早く下降させて、内部に残っている原料を押し出して排出させることができる。
【００３１】
ここで、前記重量体１３１は、作業者が重量を調節することができるように、多数を組み立てることができるのは言うまでもない。
【００３２】
本発明において、前記底面１１の下部には一定の高さを持つ係止部１１ａが形成されることができる。これは、バケツ１０が覆る場合、前記支持部材１３０がバケツ１０の底面に直接突き当たらなくて前記係止部１１ａに突き当たるように誘導して前記支持部材１３０と係止部１１ａとの間に余裕空間を形成することにより、原料がくっつかないで易しく通過するように誘導するためである。
【００３３】
また、図２に示したように、前記係止部１１ａの内部には収容空間１１ｂが形成され、前記収容空間１１ｂの内部には、前記移動軸１２０の外径部に嵌合された状態で前記排出部材１１０と触れ合うようにスプリング１１ｃを備えることができる。これは、バケツ１０が覆る場合、前記スプリング１１ｃの弾性力で前記支持部材１３０を早く下降させて、内部に残っている原料を易しく排出させるための役目をする。
【００３４】
そして、前記底面１１には多数の排出孔１１ｄが形成されることができる。これは、原料が底面１１に積もる場合、前記排出孔１１ｄを通じて自然に外部に排出されるように誘導することにより、前記排出部材１１０が上下方向に移動する過程で発生し得る誤作動を事前に防止することができる。
【００３５】
特に、バケツ１０の側面１２には低摩擦板１２ａが取り付けられ、前記低摩擦板１２ａの上端には一側に傾くように傾斜誘導部１２ｂが形成できる。
【００３６】
この際、前記低摩擦板１２ａは原料が易しく固着するとかくっつくことがないように、プラスチック系の高強度低摩擦材を使った。
【００３７】
ここで、前記傾斜誘導部１２ｂは、バケツ１０が原料を汲み入れる過程で前記傾斜誘導部１２ｂが原料と接触する場合、自然に流下して干渉を最小化することにより、前記低摩擦板１２ａが易しく広がる現象を防止することができる。
【００３８】
したがって、本発明は、図４に示したように、荷役装備Ａの作動によってバケツ１０の内部に原料を汲み入れる過程で前記排出部材１１０が自重によってバケツ１０の底面１１に定着し、反対にバケツ１０が覆る場合、自重によって前記排出部材１１０が下降しながら、バケツ１０の内部に残っている原料を下方に押し出して排出させることができる。
【００３９】
このように、本発明の実施例について詳細に説明したが、本発明の権利範囲はこれに限定されなく、本発明の実施例と実質的に同等な範囲にあるものまで本発明の権利範囲が含まれるのは言うまでもない。
【符号の説明】
【００４０】
１０    バケツ
１１    底面
１１ａ    係止部
１１ｂ    収容空間
１１ｃ    スプリング
１１ｄ    排出孔
１２    側面
１２ａ    低摩擦板
１２ｂ    傾斜誘導部
１００    本発明による原料排出が容易な荷役装備用バケツ
１１０    排出部材
１２０    移動軸
１３０    支持部材
１３１    重量体
Ａ    荷役装備
【図１】
0005860156.tif 000002
【図２】
0005860156.tif 000003
【図３】
0005860156.tif 000004
【図４】
0005860156.tif 000005